(57)【要約】【課題】画像情報を受信する側と同じ条件で画像情報を送信する側が編集することが出来て、しかも、画像情報送信のための労力を増加させることが無い情報伝達方法及び情報伝達システムの提供。【解決手段】情報提供者（例えば、各種店舗、商店）（１）が携帯電話（２）を用いて送出した画像情報（静止画像の情報、動画の情報の何れでも良い）を含む情報（提供する商品や役務に関する情報、宣伝・広告情報、更新情報、その他）（３）をユーザ（５）に供給可能なサーバ（４）が設けられており、該サーバ（４）は、ユーザ（例えば、店舗や商店の一般顧客や、会員）（５）が携帯電話（６）によりアクセスすることが出来て、且つ、情報提供者（１）から（サーバ４へ）送出された情報（３）が（当該サーバ４に）アクセスしたユーザ（５）の携帯電話（６）へ供給される様に構成されていることを特徴としている。【選択図】図１
2005216025.tif 000002
【特許請求の範囲】
【請求項１】
情報提供者が携帯電話を用いて画像情報を含む情報をサーバに送出する工程と、ユーザが携帯電話によりサーバにアクセスする工程と、情報提供者からサーバに送出された情報が当該サーバにアクセスしたユーザの携帯電話へ供給される工程、とを有していることを特徴とする情報伝達方法。
【請求項２】
サーバを管理・運営する情報管理者が前記情報提供者を登録する工程と、情報管理者に登録された情報提供者のウェブページが前記サーバに設けられる請求項１の情報伝達方法。
【請求項３】
また、情報提供者が携帯電話を用いて送出した画像情報を含む情報をユーザに供給可能なサーバが設けられており、該サーバは、ユーザが携帯電話によりアクセスすることが出来て、且つ、情報提供者から送出された情報がアクセスしたユーザの携帯電話へ供給される様に構成されていることを特徴とする情報伝達システム。
【請求項４】
本サーバを管理・運営する情報管理者用ユニットが設けられており、該情報管理者用ユニットは情報提供者を登録出来る様に構成されており、前記サーバは、情報管理者用ユニットに登録された情報提供者の情報を記録して、アクセスしたユーザへ当該情報を供給する様に構成されている請求項３の情報伝達システム。
【発明の詳細な説明】
【技術分野】
【０００１】
本発明は、ネットワークを用いた情報伝達システムに関し、特に、携帯電話を使用して、例えば特定の商店の宣伝、広告に関する情報を伝達するシステムに関する。
【背景技術】
【０００２】
例えば、インターネットに代表される情報ネットワークを利用して、店舗、商店等でユーザに対して提供する商品及び／又は役務に関する情報の授受や、宣伝・広告等を行うシステムは公知である（例えば、特許文献１参照）。
【０００３】
しかし、係るシステムでは、情報の授受が情報処理機能を有する計算機端末（コンピュータ：システムにおけるサーバに対するクライアント側マシン）により行われる。
そのために、情報伝達に必要な設備が大掛かりとなってしまう。例えば飲食店や比較的小規模の商店のように、情報提供者である店舗側の人間と来客との対応（接客）の重要性が高く、人間同士の触れ合いを重要視する職種の場合には、係る計算機端末による情報の送信は不適当である。
【０００４】
特に、画像情報をネットワークで利用するに当たっては、デジタルカメラ等から計算機端末に画像情報を転送し、さらに計算機端末からネットワーク経由で画像情報を送る必要があり、手間が掛かる。
接客の重要性が高く、且つ、店舗の宣伝のための情報の更新の頻度が高い場合には、不適当である。
【０００５】
更に、近年、携帯電話の発達に伴い、携帯電話を介してネットワークにアクセスして、携帯電話の表示画面により画像情報をチェックして、店舗を選択するユーザが激増している。
ここで、携帯電話の表示画面は比較的小さいため、デジタルカメラ等で撮影して計算機端末の比較的大きな表示画面で編集した画像情報は、画像情報を送信した側と携帯電話で受信するユーザ側とでは、見た目の印象が異なってしまうという問題が生じている。
【０００６】
携帯電話の比較的小さい表示画面で画像情報を受信するユーザが受ける印象と、計算機端末の比較的大きな表示画面で画像情報を編集する情報送信側（例えば、店舗）が受ける印象は、同じ画像情報であっても、明らかに異なる。
従って、大きな表示画面で編集した段階では素晴らしい画像情報が、携帯電話の小さな表示画面ではユーザに良い印象を与えることが出来ない、という事態が生じる。
換言すれば、情報を送る側（店舗側）と受信する側（ユーザ側）との間に感覚的な不一致が生じてしまう。そして、このような感覚的な不一致は、マーケティング上、非常に重大な問題であり、店舗経営に多大な悪影響を及ぼしてしまう可能性がある。
【０００７】
係る事態（情報の送る側と受信する側との感覚的な不一致）に対処するため、画像情報を送信する側（店舗側）が、画像情報を受信する側（ユーザ側）と同じ条件で、画像情報を編集することが出来る技術が望まれる。
【０００８】
しかし、画像情報送信のための労力を増加させること無く、係る要請に十分に応えることが出来る技術は、未だに提案されていない。
例えば、携帯電話並みに小さなサイズの表示画面で画像を編集することが考えられるが、その様な小さな画面で画像情報を編集するのは大変困難であり、画像情報を送信するために更なる労力を費やさなければならなくなってしまう。
【０００９】
更に、デジタルカメラでは、リアルタイムで情報を送信することが出来ない上、情報送信までのタイムラグがユーザ獲得に致命的な障害となってしまう。
【特許文献１】特開２００３−２６３５８４号公報
【発明の開示】
【発明が解決しようとする課題】
【００１０】
本発明は上述した従来技術の問題点に鑑みて提案されたものであり、画像情報を受信する側と同じ条件で画像情報を送信する側が編集することが出来て、しかも、画像情報送信のための労力を増加させることが無い情報伝達方法及び情報伝達システムの提供を目的としている。
【課題を解決するための手段】
【００１１】
本発明の情報伝達方法では、情報提供者（例えば、各種店舗、商店）（１）が携帯電話（２）を用いて画像情報（静止画像の情報、動画の情報の何れでも良い）を含む情報（提供する商品や役務に関する情報、宣伝・広告情報、更新情報、その他）（３）をサーバ（４）に送出する工程（Ｓ１〜Ｓ３）と、ユーザ（例えば、店舗や商店の一般顧客や、会員）（５）が携帯電話（６）によりサーバ（４）にアクセスする工程（Ｓ２１）と、情報提供者（１）からサーバ（４）に送出された情報（３）が当該サーバ（４）にアクセスしたユーザ（５）の携帯電話（６）へ供給される工程、とを有している（請求項１）。
【００１２】
本発明の情報伝達方法において、サーバ（４）を管理・運営する情報管理者（７）が前記情報提供者（例えば、各種店舗、商店）（１）を登録する工程（Ｓ１６）と、情報管理者（７）に登録された情報提供者（１）のウェブページが前記サーバ（４）に設けられるのが好ましい（請求項２）。
【００１３】
また、本発明の情報伝達システムでは、情報提供者（例えば、各種店舗、商店）（１）が携帯電話（２）を用いて送出した画像情報（静止画像の情報、動画の情報の何れでも良い）を含む情報（提供する商品や役務に関する情報、宣伝・広告情報、更新情報、その他）（３）をユーザ（５）に供給可能なサーバ（４）が設けられており、該サーバ（４）は、ユーザ（例えば、店舗や商店の一般顧客や、会員）（５）が携帯電話（６）によりアクセスすることが出来て、且つ、情報提供者（１）から（サーバ４へ）送出された情報（３）が（当該サーバ４に）アクセスしたユーザ（５）の携帯電話（６）へ供給される様に構成されていることを特徴としている（請求項３）。
【００１４】
本発明の情報伝達システムにおいて、サーバ（４）を管理・運営する情報管理者用ユニット（情報管理者７）が設けられており、該情報管理者用ユニット（７）は情報提供者（例えば、各種店舗、商店）（１）を登録出来る様に構成されており、前記サーバ（４）は、情報管理者用ユニット（７）に登録された情報提供者（１）の情報（３）を記録して、（当該サーバ４に設けられた情報提供者のウェブページに）アクセスしたユーザ（５）へ当該情報（３）を供給する様に構成されているのが好ましい（請求項４）。
【発明の効果】
【００１５】
上述した様な構成を具備する本発明によれば、情報提供者（例えば、各種店舗、商店）（１）が携帯電話（２）を用いてサーバ（４）に画像情報（静止画像の情報、動画の情報の何れでも良い）を含む情報（提供する商品や役務に関する情報、宣伝・広告情報、更新情報、その他）（３）を送出する様に構成されているので（請求項１、３）、情報提供者（例えば、各種店舗、商店）（１）は、携帯電話（２）により係る情報（３）を受信するユーザ（５）と同じ条件で、画像情報を含む各種情報（３）を編集して、送信することが出来る。
その結果、従来技術とは異なり、画像含む各種情報を送信する側（情報提供者1）は、受信する側（ユーザ５）と同じ様な見た目で、送信するべき情報を作成、編集することが出来、ユーザ（５）側との感覚の不一致というマーケティング上の重要な問題を解消することが出来るのである。
【００１６】
そして本発明において、サーバ（４）を管理・運営する情報管理者或いは情報管理者用ユニット（７）を設けることにより（請求項２、４）、情報管理者（７）に承認された情報提供者（１）からの情報のみがサーバ（４）に記憶されることとなるので、サーバ（４）に蓄積された情報（３）の信頼性は極めて高く、サーバ（４）にアクセスして得た（情報提供者からの）情報（３）を信頼したユーザ（５）に不測の不利益を与えてしまうことが防止される。
【００１７】
更に、携帯電話（６）で情報の授受を行うサーバ（４）を経由して、ユーザ（５）へリアルタイムに情報（３）を送信することが出来る。即ち、提供する商品、役務について、ユーザ（５）に常に最新の情報（３）を送信出来、ユーザ（５）からのリピートオーダの増加につながり、新にユーザ（５）を獲得する上でも大きな戦力となる。
【発明を実施するための最良の形態】
【００１８】
以下、添付図面を参照して、本発明の実施形態について説明する。
【００１９】
先ず、図１〜図４を参照して、第１実施形態を説明する。
【００２０】
図１において、第1実施形態の情報伝達システムＡには、情報提供者（例えば店舗）１が携帯電話２を用いて送出（符号Ｊ1の経路）した画像情報を含む情報３をユーザ５に供給可能なサーバ４が設けられている。
ここで、画像情報とは、静止画像の情報、動画の情報の何れでも良く、提供する商品や役務に関する情報、宣伝・広告情報、更新情報、その他の情報を含んでいる。
【００２１】
前記サーバ４は、ユーザ（例えば、店舗や商店の一般顧客や、会員）５が携帯電話６によりアクセスする（符号Ｊ2の経路）ことが出来て、且つ、情報提供者１からサーバ４へ送出された情報３が当該サーバ４にアクセス（符号Ｊ2の経路）したユーザ５の携帯電話６へ供給される（符号Ｊ2の経路）様に構成されている。
【００２２】
第1実施形態の情報伝達システムＡにおいて、サーバ４を管理・運営する情報管理者用ユニット、例えば情報管理者７が設けられており、該情報管理者７は情報提供者１と契約（符号Ｊ３の経路）を結び、情報提供者１を登録（符号Ｊ３の経路）出来る様に構成されている。
【００２３】
前記サーバ４は、情報管理者７に登録された情報提供者１の情報３を記録して、当該サーバ４に設けられた情報提供者１のウェブページにアクセスしたユーザ５へ登録された情報提供者１の情報３を供給する（符号Ｊ2の経路）様に構成されている。
【００２４】
上述したように構成された情報伝達システムＡでは、情報提供者１はユーザ５に対して商品或いはサービス（役務）の提供（Ｊ４）を行い、これに対して、ユーザ５は情報提供者１に対して、利用・購入に対する支払（Ｊ５）を行う。
【００２５】
また、ユーザ５はサーバ４に対して、情報提供者（店舗）１毎に会員登録（Ｊ６）を行い、これに対して、サーバ４は会員登録をしたユーザ５に対して特典情報の提供を行う（Ｊ７）。
【００２６】
前記情報提供者１は前記情報管理者７に対して、サイト設定に関する情報や、会員への特典情報を提供（Ｊ８）する。これに対して、情報管理者７は会員の情報、アクセスに関する情報、その他サイト運営に必要な各種情報を、情報提供者１に提供（Ｊ９）する。
【００２７】
また、前記情報管理者７は、サーバ４に対して、サイト設置や情報管理を行い（Ｊ１０）、これに対して、サーバ４は情報管理者７に対して、登録会員に関する情報を提供（Ｊ１１）する。
【００２８】
ここで、情報提供者である店舗１が、新たな情報３をユーザ５に提供する場合に行う処理方法を、図２を参照して説明する。
処理は、情報管理者７の所有する図示しない、例えばコントロールユニットによって行われる。
【００２９】
先ず、図示しないコントロールユニットは、常時、新にサイトアップするべき情報があるか否かを判断している（ステップＳ１のループ）。即ち、情報提供者１側から新たな情報が入っていないかを監視している。
新たな情報が入った場合、（ステップＳ１のＹＥＳ）、サイトアップするべき情報を、情報提供者１側が携帯電話２の機能を用いて作成し、情報提供者１側に静止画像及び動画を携帯電話２の「メール」に添付する（ステップＳ２）。
情報提供者１側はその「メール」をサーバ４に送信（ステップＳ３）して、制御を終了する。
【００３０】
次に、情報提供者である店舗１から、新たな情報が提供された場合、或いは当該システムに新規会員（情報提供者）として登録を希望する場合において、サーバ４で行われる処理方法を、図３を参照して説明する。
【００３１】
先ず、前記図示しないコントロールユニットは、情報提供者１、或いは新規登録の希望者を含む一般からアクセスがあったか否かを監視しており（ステップＳ１１のループ）、アクセスがあった場合（ステップＳ１１のＹＥＳ）、パスワード等によって真正な情報提供者か否かを確認し（ステップＳ１２）、真正な情報提供者であるか否かを判断する（ステップＳ１３）。
【００３２】
真正な情報提供者であれば（ステップＳ１３のＹＥＳ）、ステップＳ１４に進み、一方真正な情報提供者でない場合（ステップＳ１３のＮＯ）は、ステップＳ１６に進む。
【００３３】
ステップＳ１４では、更新、追加、或いは削除するべき情報の特定を行い、情報提供者１から携帯電話２経由で伝達された情報をサーバ４にサイトアップ、或いは更新する（ステップＳ１５）。
【００３４】
ステップＳ１６では、コントロールユニットは当該アクセスが、サーバに新規登録するのか否かを問う。新規登録でなければ（ステップＳ１６のＮＯ）、アクセスは例えば「冷やかし」等と見做し制御を停止する。一方、サーバに新規（情報提供者として）登録するのであれば（ステップＳ１６のＹＥＳ）、登録手続きの紹介（案内）を行った（ステップＳ１７）後、制御を終了する。
尚、正規の登録手続きは、本実施形態において、図示しないサブルーチンで行うことも可能である。
【００３５】
次に、ユーザ５から、サーバ４に対してアクセスがあった場合における処理方法を、図４を参照して説明する。
【００３６】
先ず、前記図示しないコントロールユニットは、ユーザ５からアクセスがあったか否かを監視しており（ステップＳ２１のループ）、アクセスがあった場合（ステップＳ２１のＹＥＳ）、パスワード等によって真正なユーザか否かを確認する（ステップＳ２２）。
【００３７】
次のステップＳ２３では、コントロールユニットはアクセスした者が登録会員であるか否かを判断して、登録会員であれば（ステップＳ２３のＹＥＳ）、登録会員サイトの情報を選択（ステップＳ２４）した後、ステップＳ２５に進む。
一方、会員でなければ（ステップＳ２３のＮＯ）、一般サイトの情報を選択（ステップＳ２７）した後、ステップＳ２８に進む。
【００３８】
ステップＳ２５では、コントロールユニットは、登録会員に対する特典情報があるか否かを判断し、得点情報があれば、登録会員に送信するサイト情報に特典情報を添付し（ステップＳ２６）、次のステップＳ２８に進む。
一方、特典情報が無い場合には、そのままステップＳ２８に進む。
【００３９】
ステップＳ２８では、アクセスしたユーザ５（の携帯電話６）に情報を送信して、制御を終了する。
【００４０】
係る構成及び情報伝達方法を備えた第１実施形態によれば、情報提供者１が携帯電話２を用いてサーバ４に画像情報（静止画像の情報、動画の情報の何れでも良い）を含む情報（提供する商品や役務に関する情報、宣伝・広告情報、更新情報、その他）３を送出する様に構成されているので、情報提供者１は、携帯電話２により係る情報３を受信するユーザ５と同じ条件で、画像情報を含む各種情報３を編集して、送信することが出来る。
【００４１】
その結果、従来技術とは異なり、画像含む各種情報を送信する側である情報提供者１は、受信する側であるユーザ５と同じ様な見た目で、送信するべき情報を作成、編集することが出来、ユーザ５側との感覚の不一致というマーケティング上の重要な問題を解消することが出来る。
【００４２】
そして本発明において、サーバ４を管理・運営する情報管理者７或いは情報管理者用ユニットを設けることにより、情報管理者７に承認された情報提供者１からの情報のみがサーバ４に記憶されることとなるので、サーバ４に蓄積された情報３の信頼性は極めて高く、サーバ４にアクセスして得た情報提供者からの情報３を信頼したユーザ５に不測の不利益を与えてしまうことが防止される。
【００４３】
更に、携帯電話６で情報の授受を行うサーバ４を経由して、ユーザ５へリアルタイムに情報を送信することが出来る。即ち、提供する商品、役務について、ユーザ５に常に最新の情報を送信出来、リピートオーダの増加、及び、新規ユーザ５を獲得する上でも大きな戦力となる。
【００４４】
次に、図５及び図６を参照して、第２実施形態を説明する。
【００４５】
図５及び図６の第２実施形態は、図１〜図４の第１実施形態に対して、情報提供者である店舗１に、マーケティングのための処理を行うユニット８をリンクさせた実施形態である。
システムの構成としては、図５に示すように、図１〜図４の第１実施形態に対して、情報提供者である店舗１に、マーケティングのための処理を行うユニット８をリンクさせたことのみが異なる。
【００４６】
以下、図６を参照して、マーケティングのための処理方法に関して説明する。先ず、ステップＳ３１において、当該処理ユニット８は、情報提供者である店舗１からユーザ５の動向に関するデータを受領する。
具体的には、どの様な情報を更新したならば、売上や来店者数がどの様に変動したかを示すデータ（売上等の会計データ、その他）を、店舗１サイドから貰う。
【００４７】
ステップＳ３２では、当該処理ユニット８は、係るデータから、どの様な宣伝、広告を打てば、経営上、良い結果が出るかを分析し、その分析結果を店舗側に提供して、必要なコンサルティングを行って（ステップＳ３３）、制御を終了する。
【００４８】
尚、この処理ユニット８は、情報管理者７にリンクして、マーケティングに関するコンサルティングを情報管理者が行うことも可能である。
【００４９】
そのように構成された第２実施では、マーケティングのための処理ユニット８を設け、その処理ユニット８を情報提供者（店舗）１にリンクさせることにより、的確なマーケティングが行えて、リピートオーダの増大、及び新規の顧客獲得にも適切な手が打てる。
【００５０】
次に、図７を参照して、第３実施形態（情報伝達システムとしては、符号Ｃで示す）を説明する。
【００５１】
図７の第３実施形態は、図１〜図４の第１実施形態に対して、情報提供者である店舗１に、ユーザ５に対して、商品購入や役務の利用に対する支払を、所謂「電子マネー」によって行わせる（Ｊ５）ための、電子マネー決済処理ユニット９をリンクさせた実施形態である。
システムの構成としては、図７に示すように、図１〜図４の第１実施形態に対して、情報提供者である店舗１及びユーザ５とを、電子マネー決済処理を行うユニット９によってリンクさせたことのみが異なる。
【００５２】
上述したように、第3実施形態は、ユーザ５に対して、「電子マネー決済」と言う利便性を提供することで、リピートオーダの増加と、更に新規顧客を獲得する上で大きな戦力となり得るとともに、集金・決済の効率化を進めることが出来る。
【００５３】
図示の実施形態はあくまでも例示であり、本発明の技術的範囲を限定する趣旨の記述ではない旨を付記する。
【図面の簡単な説明】
【００５４】
【図１】本発明の第１実施形態のシステム全体の構成を示すブロック図。
【図２】本発明の第１実施形態において、情報提供者が、新たな情報をユーザに提供する場合の処理方法を示したフローチャート。
【図３】本発明の第１実施形態において、情報提供者が、新たな情報が提供された場合において、サーバで行われる処理方法を示したフローチャート。
【図４】本発明の第１実施形態において、ユーザからサーバに対してアクセスがあった場合における処理方法を示すフローチャート。
【図５】本発明の第２実施形態のシステム全体の構成を示すブロック図。
【図６】本発明の第２実施形態において、マーケティングのための処理を行う場合の処理方法を示すフローチャート。
【図７】本発明の第３実施形態のシステム全体の構成を示すブロック図。
【符号の説明】
【００５５】
１・・・情報提供者／店舗
２、６・・・携帯電話
３・・・情報
４・・・サーバ
５・・・ユーザ
７・・・情報管理処理ユニット／情報管理者
８・・・マーケティングのための処理ユニット
９・・・電子マネー決済処理ユニット
【図１】
2005216025.tif 000003
【図２】
2005216025.tif 000004
【図３】
2005216025.tif 000005
【図４】
2005216025.tif 000006
【図５】
2005216025.tif 000007
【図６】
2005216025.tif 000008
【図７】
2005216025.tif 000009